(57)【要約】  方形平板状のパネル本体１０の第１方向両側端部のうちの一方の端部７に、隣接される天井パネル１の被連結部２５に連結される連結部１６を設けた天井パネルであって、前記連結部は、前記端部の裏面１０ａにおいて開口する切込部１４から前記パネル本体の層内に差し込まれた差込片部１９に、前記端部の裏面に沿うように配される固定片部１８を貫通させるように止着された固着具４によって前記端部に固定されている。
2020175000.tif 000002
【特許請求の範囲】
【請求項１】
方形平板状のパネル本体の第１方向両側端部のうちの一方の端部に、隣接される天井パネルの被連結部に連結される連結部を設けた天井パネルであって、
前記連結部は、前記端部の裏面において開口する切込部から前記パネル本体の層内に差し込まれた差込片部に、前記端部の裏面に沿うように配される固定片部を貫通させるように止着された固着具によって前記端部に固定されていることを特徴とする天井パネル。
【請求項２】
請求項１において、
前記連結部は、前記固定片部を構成する基端側片部を有した連結部材に設けられており、前記切込部は、第１方向に延びるように設けられていることを特徴とする天井パネル。
【請求項３】
請求項２において、
前記差込片部は、前記基端側片部の第１方向に直交する第２方向一側部から屈曲されて前記連結部材に一体的に設けられていることを特徴とする天井パネル。
【請求項４】
請求項２または３において、
前記基端側片部には、前記差込片部よりも第１方向内側に向けて延出する延出部が設けられていることを特徴とする天井パネル。
【請求項５】
請求項１において、
前記連結部は、前記差込片部を有した連結部材に設けられており、前記切込部は、第１方向に直交する第２方向に延びるように設けられていることを特徴とする天井パネル。
【請求項６】
請求項１乃至５のいずれか１項において、
前記切込部は、間隔を空けて平行状に２箇所に形成されており、前記差込片部は、一方の切込部から差し込まれて差込方向先端部が他方の切込部を介して前記パネル本体の裏面側において露出していることを特徴とする天井パネル。
【請求項７】
請求項１乃至６のいずれか１項において、
前記パネル本体は、発泡樹脂系または繊維系の基材の裏面側に補強層を積層した構成とされ、前記切込部は、前記補強層を貫通して形成されていることを特徴とする天井パネル。
【発明の詳細な説明】
【技術分野】
【０００１】
本発明は、建物の天井を構成する天井パネルに関する。
【背景技術】
【０００２】
従来より、天井パネルとしては、その端部が野縁等のいわゆる在来天井下地にビス等によって直接的に固定されて施工されるものが知られているが、繊維系や発泡樹脂系のパネルなどでは、直接的に固定し難いものもあった。
例えば、下記特許文献１には、無機繊維板の相対向する２辺に沿った裏面に、これら各２辺より外側に突出する状態で取付板を付設した構成とされた天井板が開示されている。この天井板は、両側の取付板を野縁にビス止めして取り付けられる構成とされている。また、このように取り付けられた天井板の取付板が設けられていない辺の裏面に、隣接される天井板の取付板を載せるように差し込んで取り付ける構成とされている。
【先行技術文献】
【特許文献】
【０００３】
【特許文献１】実公昭６２−８２６１号公報
【発明の概要】
【発明が解決しようとする課題】
【０００４】
しかしながら、上記特許文献１に記載された天井板では、取付板を接着剤によって無機繊維板の裏面に固定した構成とされているため、天井板や取付板に過度な負荷が掛けられた際等に、取付板が天井板から剥がれ易くなることが考えられた。【０００５】
本発明は、上記実情に鑑みてなされたものであり、連結部材のパネル本体に対する固定強度を向上し得る天井パネルを提供する。
【課題を解決するための手段】
【０００６】
上記目的を達成するために、本発明に係る天井パネルは、方形平板状のパネル本体の第１方向両側端部のうちの一方の端部に、隣接される天井パネルの被連結部に連結される連結部を設けた天井パネルであって、前記連結部は、前記端部の裏面において開口する切込部から前記パネル本体の層内に差し込まれた差込片部に、前記端部の裏面に沿うように配される固定片部を貫通させるように止着された固着具によって前記端部に固定されていることを特徴とする。【０００７】
また、上記目的を達成するために、本発明に係る天井パネルは、方形平板状のパネル本体の第１方向両側端部のうちの一方の端部に、隣接される天井パネルの被連結部に連結される連結部を設けた天井パネルであって、前記連結部は、前記端部の裏面に沿うように配される基端側片部を有した連結部材に設けられており、該連結部材は、前記端部の裏面において開口し、かつ第１方向に延びるように設けられた切込部から前記パネル本体の層内に差し込まれた差込片部に前記基端側片部を貫通させるように止着された固着具によって前記端部に固定されていることを特徴とする。【０００８】
また、上記目的を達成するために、本発明に係る天井パネルは、方形平板状のパネル本体の第１方向両側端部のうちの一方の端部に、隣接される天井パネルの被連結部に連結される連結部を設けた天井パネルであって、前記連結部は、前記端部の裏面において開口し、かつ第１方向に直交する第２方向に延びるように設けられた切込部から前記パネル本体の層内に差し込まれる差込片部を有した連結部材に設けられており、該連結部材は、前記端部の裏面に沿うように配される固定片部を貫通させるように前記差込片部に止着された固着具によって前記端部に固定されていることを特徴とする。
【発明の効果】
【０００９】
本発明に係る天井パネルは、上述のような構成としたことで、連結部材のパネル本体に対する固定強度を向上させることができる。
【図面の簡単な説明】
【００１０】
【図１】（ａ）、（ｂ）は、本発明の一実施形態に係る天井パネルの一例を模式的に示し、（ａ）は、概略平面図、（ｂ）は、概略側面図である。
【図２】（ａ）は、同天井パネルを施工した状態を模式的に示す一部破断概略平面図、（ｂ）は、（ａ）におけるＸ１−Ｘ１線矢視に対応させた一部破断概略縦断面図である。
【図３】（ａ）は、図２（ａ）におけるＺ１部に対応させた一部破断概略斜視図、（ｂ）は、図１（ａ）におけるＺ２部に対応させた一部破断概略斜視図、（ｃ）は、図１（ａ）におけるＺ３部に対応させた一部破断概略斜視図である。
【図４】（ａ）は、図１（ａ）におけるＺ４部に対応させた一部破断概略分解平面図、（ｂ）は、図１（ａ）におけるＹ１−Ｙ１線矢視に対応させた一部破断概略縦断面図、（ｃ）は、同天井パネルが備える連結部材の一変形例を模式的に示し、（ｂ）に対応させた一部破断概略縦断面図である。
【図５】（ａ）は、同天井パネルの施工手順の一例を模式的に示す概略斜視図、（ｂ）は、同施工手順の一例を模式的に示し、図２（ｂ）に対応させた一部破断概略縦断面図である。
【図６】（ａ）は、同天井パネルの施工手順の一例を模式的に示す概略斜視図、（ｂ）は、同施工手順の一例を模式的に示し、図２（ｂ）に対応させた一部破断概略縦断面図である。
【図７】（ａ）、（ｂ）は、本発明の他の実施形態に係る天井パネルの一例を模式的に示し、（ａ）は、概略平面図、（ｂ）は、概略側面図である。
【図８】（ａ）は、同天井パネルを模式的に示す一部破断概略斜視図、（ｂ）は、同天井パネルが備える磁石保持部材の一例を模式的に示す概略斜視図、（ｃ）は、図８（ａ）におけるＹ２−Ｙ２線矢視に対応させた一部破断概略縦断面図である。
【図９】（ａ）は、図７（ａ）におけるＺ５部に対応させた一部破断概略分解平面図、（ｂ）は、図７（ａ）におけるＺ５部に対応させた一部破断概略平面図、（ｃ）は、（ｂ）におけるＹ３−Ｙ３線矢視に対応させた一部破断概略縦断面図である。
【図１０】（ａ）は、図７（ａ）におけるＺ６部に対応させた一部破断概略分解平面図、（ｂ）は、図７（ａ）におけるＺ６部に対応させた一部破断概略平面図、（ｃ）は、（ｂ）におけるＸ２−Ｘ２線矢視に対応させた一部破断概略縦断面図である。
【図１１】（ａ）、（ｂ）は、図２（ｂ）に対応させた一部破断概略縦断面図である。
【発明を実施するための形態】
【００１１】
以下に本発明の実施の形態について、図面に基づいて説明する。
なお、一部の図では、他図に付している詳細な符号の一部を省略している。
また、以下の各実施形態では、各実施形態に係る天井パネルを施工した状態または施工する状態を基準として上下方向等の方向を説明する。
図１〜図６は、第１実施形態に係る天井パネルの一例及び同天井パネルの施工手順の一例を模式的に示す図である。
【００１２】
本実施形態に係る天井パネル１は、図１（ａ）、（ｂ）に示すように、方形平板状のパネル本体１０を備えている。この天井パネル１は、図２（ａ）、（ｂ）に示すように、第１方向に延びる長尺状で第１方向に直交する第２方向に間隔を空けて平行状に配設される天井下地２，２に固定される。また、天井パネル１は、第２方向両側端部としての被保持端部８，８が天井下地２，２に保持される。
この天井パネル１が固定される天井下地２は、木造天井下地でもよいが、本実施形態では、強磁性体からなる鋼製天井下地とされている。このような天井下地２としては、軽鉄材からなり、いわゆる軽天下地を構成するものでもよい。また、天井下地２としては、溝形鋼状（チャンネル状）の野縁受等を介し、吊木や吊ボルト等の吊部材に吊り下げられていわゆる吊天井を構成する野縁でもよく、種々の構成とされたものでもよい。この天井下地２は、複数本が上下方向及び第１方向に直交する第２方向に略等間隔を空けて（略等ピッチで）平行状に配設されて天井下地構造を構成する。
【００１３】
天井パネル１は、住居やオフィス等の比較的に小型の建物の天井として施工されるものでもよく、体育館やホール、ショッピングモール、工場、学校等の比較的に大型の各種の建物の天井として施工されるものでもよい。
また、この天井パネル１は、単位面積（１ｍ２）当たりの質量が２．０ｋｇ以下とされたものでもよい。また、この天井パネル１の質量を、上記のような軽天下地からなる天井下地２を含んだ天井システム全体の質量が２．０ｋｇ／ｍ２以下となるような質量としてもよい。
【００１４】
パネル本体１０は、平面視して（厚さ方向に見て）、略方形状とされている。本実施形態では、パネル本体１０を、平面視して略正方形状としているが、略長方形状としてもよい。また、パネル本体１０の平面視した状態における大きさは、取扱性や施工性等の観点から適宜の大きさとしてもよく、例えば、１辺の長さが０．３ｍ以上とされたものでもよく、２．０ｍ以下とされたものでもよい。また、略正方形状とされたパネル本体１０においては、１辺の長さが０．４ｍ以上、１．５ｍ以下とされたものでもよく、０．９ｍ〜１．２ｍ程度とされたものでもよい。また、略長方形状とされたパネル本体１０においては、短辺の長さが０．３ｍ以上で、長辺の長さが２．０ｍ以下とされたものでもよい。
また、パネル本体１０の厚さは、層構成等にもよるが、例えば、３．０ｍｍ〜１５．０ｍｍ程度としてもよい。
【００１５】
また、パネル本体１０は、石膏ボードやけい酸カルシウム板等でもよいが、本実施形態では、図２（ｂ）に示すように、発泡樹脂系または繊維系の基材１１を含んだ構成とされている。発泡樹脂系の基材１１としては、ポリウレタン樹脂やポリスチレン樹脂、ポリエチレン樹脂、ポリプロピレン樹脂、フェノール樹脂、エポキシ樹脂等の樹脂組成物から形成されたものが例示される。繊維系の基材１１としては、グラスウールやロックウール等の鉱物繊維から形成されたものが例示される。図例では、基材１１を発泡樹脂層としている。この基材１１は、パネル本体１０の大部分を占め、例えば、厚さがパネル本体１０の厚さの８０％〜９９％程度であってもよい。
また、パネル本体１０は、基材１１の室内側となる厚さ方向一方側に、表面層１２を設けた構成とされている。この表面層１２としては、難燃層を含むものでもよい。
【００１６】
上記のような難燃層としては、当該天井パネル１が建築基準法において定められた不燃材料等に必要な性能に関する技術的基準を満たすように適宜の構成とされたものでもよい。例えば、当該天井パネル１が技術的基準における「難燃材料」の基準を満たすように構成されたものでもよく、好ましくは、「準不燃材料」の基準を満たすように構成されたものでもよく、より好ましくは、「不燃材料」の基準を満たすように構成されたものでもよい。また、例えば、難燃層としては、薄シート状とされた箔状のアルミシートでもよい。
また、表面層１２に、ガラス繊維等の強化繊維を含む補強層を設けた構成としてもよい。この補強層としては、ガラスクロス等の強化繊維シートでもよく、また、強化繊維シートに樹脂が含浸されたガラス繊維強化樹脂層等の繊維強化樹脂層であってもよい。また、表面層１２の下方側（室内側）に向く表面（室内側面）は、化粧シートの貼着や、印刷、塗装等の適宜の表面化粧処理が施された化粧面であってもよく、または、適宜の化粧シートが貼着される下地面であってもよい。
【００１７】
また、パネル本体１０は、基材１１の裏面側（天井下地側）に補強層１３を積層した構成とされている。このような構成とすれば、上記のような基材１１によって軽量化を図りながらも裏面側の補強層１３によって垂れを抑制することができる。この補強層１３としては、上記同様、ガラスクロス等の強化繊維シートでもよく、また、強化繊維シートに樹脂が含浸されたガラス繊維強化樹脂層等の繊維強化樹脂層であってもよい。
また、パネル本体１０は、基材１１の四周の側端面に端面層を設けた構成とされている。この端面層は、表面層１２と同様の構成とされたものでもよい。また、この端面層は、表面層１２から一連状に設けられたものでもよく、エッジシート状に別途に設けられたものでもよい。
【００１８】
このパネル本体１０の第２方向両側の被保持端部８，８の裏面１０ａ側には、図１（ａ）に示すように、天井下地２，２の被吸着部に吸着される磁石９，９が設けられている。また、パネル本体１０の第１方向の第１端部６の裏面１０ａ側には、被連結部を構成する被引掛部２５が設けられている。また、パネル本体１０の第１方向両側端部６，７のうちの一方の端部としての第２端部７には、第１方向に隣接される天井パネル１の被引掛部２５に引っ掛けられる連結部を構成する引掛部１６が設けられている。このような構成とすれば、第２端部７の引掛部１６を、第１方向に隣接される天井パネル１の被引掛部２５に引っ掛け、第２方向両側の被保持端部８，８の磁石９，９を、各天井下地２，２の被吸着部に吸着させて天井パネル１を取り付ける、または仮固定することができる。これにより、天井パネル１を容易に施工することができ、施工人数の少数化を図ることができ、一人での施工も容易に可能となる。
【００１９】
磁石９は、図１（ａ）に示すように、被保持端部８に沿って第１方向に延びるように設けられている。この磁石９は、第２方向両側の天井下地２，２に対する吸着によって当該天井パネル１の保持（仮保持）が可能なように設けられている。また、本実施形態では、被保持端部８に、第１方向に間隔を空けて複数（図例では、５つ）の磁石９を設けた構成としている。図例では、複数の磁石９を、第１方向に互いに略等間隔を空けて設けた例を示している。また、第１端部６近傍部位及び第２端部７近傍部位のそれぞれにも磁石９，９を設けた例を示している。なお、このような構成に代えて、被保持端部８の第１方向の概ね全体に亘って磁石９を設けた構成としてもよい。この磁石９の第１方向に沿う長さ寸法及び第２方向に沿う幅寸法は、天井パネル１の保持性（仮保持性）の観点や、垂れを抑制する観点、軽量化を図る観点等から適宜の寸法としてもよい。
【００２０】
また、磁石９は、パネル本体１０の厚さ方向に厚さ方向を沿わせた板状とされている（図１（ｂ）も参照）。この磁石９の厚さ寸法は、１ｍｍ〜５ｍｍ程度であってもよい。また、本実施形態では、この磁石９を、パネル本体１０の裏面１０ａに積層状に設けた構成としている。この磁石９は、適宜の粘着材や接着剤等によってパネル本体１０に固定されたものでもよい。また、この磁石９の磁力によって吸着する天井下地２の被吸着部は、上記のように天井下地２を強磁性体からなるものとした場合には、天井下地２の下面（室内側面）全体となる。なお、このような態様に代えて、非磁性体からなる天井下地２の下面側に付設状または埋込状に適宜のシート状磁石やシート状強磁性体等を被吸着部として設けた構成等としてもよい。
【００２１】
引掛部１６は、図１（ａ）、（ｂ）に示すように、パネル本体１０の第２端部７から第１方向外側に向けて延出する延出部１７の延出方向先端部から室内側に向けて屈曲し更に第１方向内側に折り返されるように形成された折返片１７ａを備えている。被引掛部２５は、図５及び図６に示すように、第１方向に隣接される天井パネル１の第２端部７を第１端部６よりも上方側に位置させた状態で、この天井パネル１の折返片１７ａの引っ掛け保持が可能な構成とされている。このような構成とすれば、既施工の天井パネル１の被引掛部２５に対して、第２端部７側を上方側にして下方側から未施工の天井パネル１の折返片１７ａを引っ掛け、この天井パネル１を保持させることができる。これにより、高所で水平状に保持した状態で水平移動させる必要があるようなものと比べて、施工性を向上させることができる。また、このように第２端部７側が保持された状態から第２端部７側を支点として回転させるようにして第１端部６側を上昇させて天井下地２に固定することができる。特に、本実施形態では、上述のように被保持端部８，８に磁石９，９を設けた構成としているので、第２端部７側を保持させた状態から第１端部６側を上昇させれば、被保持端部８，８の磁石９，９によって天井パネル１を天井下地２，２に対して容易に保持（仮保持）させることができる。
【００２２】
引掛部１６の基端側には、第１方向に隣接される天井パネル１の被引掛部２５に設けられた被当接面２６ａに当接されて隣接される天井パネル１，１同士の第１方向近接側への移動を規制する当接面１６ａが折返片１７ａに対向するように設けられている。このような構成とすれば、未施工の天井パネル１を、上記のように既施工の天井パネル１に保持させた状態で既施工の天井パネル１に対して移動させて当接面１６ａを被当接面２６ａに当接させることで天井パネル１，１同士の位置合わせを容易に行うことができる。これにより、図２（ｂ）に示すように、第１方向に隣接される天井パネル１，１の第１方向に対向される端面間に目透かし状の隙間を設ける場合には、各天井パネル１，１間の隙間を容易に均等にすることができる。この第１方向に隣接される天井パネル１，１同士の隙間は、１ｍｍ〜１５ｍｍ程度であってもよい。
【００２３】
また、引掛部１６は、第２端部７の裏面１０ａにおいて開口する切込部１４からパネル本体１０の層内に差し込まれた差込片部１９に、固定片部を構成する基端側片部１８を貫通させるように止着された固着具４によって第２端部７に固定されている。基端側片部１８は、図４（ａ）、（ｂ）に示すように、本実施形態では、第２端部７の裏面１０ａに沿うように配される構成とされ、引掛部１６を有した連結部材１５に設けられている。このような構成とすれば、連結部材１５を表面側から目立ち難くすることができる。また、差込片部１９と基端側片部１８との間にパネル本体１０の裏面側層（被挟持層）１３ａを挟み込んだ状態で、差込片部１９に止着した固着具４によって連結部材１５を第２端部７に言わば機械的に固定することができる。これにより、連結部材１５を裏面側に設けた構成でありながらも、基端側片部１８を接着剤やパネル本体１０のみに対して止着した固着具４等によって第２端部７に固定したようなものと比べて、第２端部７に対する連結部材１５の固定強度を向上させることができる。また、本実施形態では、切込部１４を、第１方向に延びるように設けた構成としている。このような構成とすれば、第２方向に延びる切込部に差込片部１９を差し込んだようなものと比べて、天井パネル１の自重や隣接される天井パネル１等による荷重等によって引掛部１６にパネル厚さ方向に沿う負荷が掛けられた際における切込部１４周囲の裏面側層に掛かる負荷を軽減することができる。
【００２４】
本実施形態では、切込部１４を、パネル本体１０の裏面１０ａ側の補強層１３を貫通させて設けた構成としている。このような構成とすれば、差込片部１９が補強層１３よりも内層側に潜り込むように配置されることとなる。つまり、差込片部１９と基端側片部１８との間に少なくとも補強層１３を含む被挟持層１３ａが挟み込まれることとなり、第２端部７に対する連結部材１５の固定強度をより効果的に向上させることができる。つまりは、このような補強層１３を設けずに、発泡樹脂層や鉱物繊維層のみが被挟持層となるようなものと比べて、連結部材１５の固定強度を向上させることができる。
また、本実施形態では、第２方向に間隔を空けて平行状に２箇所に切込部１４，１４を設けた構成としている。また、差込片部１９は、これら切込部１４，１４のうちの一方から差し込まれその差込方向先端部１９ｂが他方の切込部１４を介してパネル本体１０の裏面１０ａ側において露出された構成とされている。このような構成とすれば、１本の切込部１４に差し込まれたものと比べて、上記のような負荷が引掛部１６に掛けられた際における荷重を２本の切込部１４，１４周囲の裏面側層に分散させて負担させることができる。これにより、第２端部７に対する連結部材１５の固定強度をより効果的に向上させることができる。
【００２５】
また、本実施形態では、基端側片部１８に、差込片部１９よりも第１方向内側（第１端部６側）に向けて延出する延出部１８ｂを設けた構成としている。このような構成とすれば、上記のような負荷が掛けられて引掛部１６をパネル本体１０に対して天井下地２側に回転させようとする荷重を、パネル本体１０の裏面１０ａに沿わせられる延出部１８ｂによって受けることができる。これにより、第２端部７に対する連結部材１５の固定強度をより効果的に向上させることができる。
また、本実施形態では、差込片部１９を、基端側片部１８とは別体的に設けた構成としている。このような構成とすれば、差込片部１９を基端側片部１８に一体的に設けたものと比べて、差込片部１９を差し込む際に、被挟持層１３ａが引っ掛かったり、捩れたりするようなことを抑制することができる。
【００２６】
基端側片部１８は、パネル本体１０の厚さ方向に厚さ方向を沿わせた板状とされている。図例では、この基端側片部１８を、厚さ方向に見て概ね方形状とした例を示している。また、この基端側片部１８（本実施形態では、延出部１８ｂ）の第１方向内側の端部の両隅部を、厚さ方向に見て、突湾曲状とした例を示している。
この基端側片部１８には、固着具４の軸部が挿通される挿通孔１８ａが設けられている。
また、この基端側片部１８の第１方向に沿う寸法は、第１方向内側に延出部１８ｂが形成されるように、差込片部１９の第１方向に沿う寸法よりも大とされている。延出部１８ｂは、基端側片部１８の第１方向内側部位から一連状に設けられている。この基端側片部１８の厚さ寸法は、強度上の観点や軽量化を図る観点等から適宜の寸法としてもよく、例えば、０．３ｍｍ〜３ｍｍ程度としてもよい。
【００２７】
引掛部１６は、基端側片部１８の第１方向外側端部に一連状に設けられている。引掛部１６の基端部には、図１（ｂ）及び図２（ｂ）に示すように、基端側片部１８の第１方向外側端部から上方側（天井下地２側）に向けて立ち上がるように設けられた立上片部が設けられ、この立上片部の第１方向外側に向く面が当接面１６ａを構成する。図例では、基端側片部１８の第１方向外側端部から斜め上方側に延びる傾斜片部を介して立上片部を設けた構成としている。
延出部１７は、立上片部の上端部から第１方向外側に向けて延びるように設けられている。この延出部１７のパネル本体１０の第２端部７の端面からの第１方向に沿う突出寸法は、既施工の天井パネル１の被引掛部２５に対して下方側から引っ掛け易いように、また、軽量化を図る観点等から適宜の寸法としてもよい。
【００２８】
また、この延出部１７は、その先端部に折返片１７ａを設けたフック状とされている。この折返片１７ａは、その先端が第１方向内側に向くように設けられている。図例では、この折返片１７ａの先端を、当接面１６ａを構成する立上片部と同高さに位置するように設けた例を示している。また、図例では、この折返片１７ａを、第２方向に見て、略半円弧状（略Ｃ字状）とした例を示しているが、単一の屈折部を有した略Ｖ字状とされたものや、複数の屈折部を有したような形状等としてもよい。また、この折返片１７ａの折返部位の第１方向に沿う寸法は、既施工の天井パネル１の被引掛部２５に対して下方側から引っ掛け易いように、また、軽量化を図る観点等から適宜の寸法としてもよい。
これら引掛部１６の傾斜片部、立上片部、延出部１７及び折返片１７ａは、基端側片部１８の厚さと同厚さとされ、適宜、プレスや折曲加工等によって一連状に形成されたものでもよい。また、引掛部１６の第２方向に沿う幅寸法は、基端側片部１８の第２方向に沿う幅寸法と同寸法とされている。
【００２９】
差込片部１９は、図４（ａ）、（ｂ）に示すように、パネル本体１０の厚さ方向に厚さ方向を沿わせた概ね板状とされている。図例では、この差込片部１９を、厚さ方向に見て概ね方形状とした例を示している。また、この差込片部１９の差込方向先端部１９ｂを、厚さ方向に見て、先端側に向かうに従い先細状としている。このような構成とすれば、差込片部１９をパネル本体１０の層内に切込部１４を介して容易に差し込むことができる。また、差込方向先端部１９ｂの両隅部を、厚さ方向に見て、突湾曲状とした例を示している。
また、この差込片部１９には、固着具４の軸部が止着される止着孔１９ａが設けられている。この止着孔１９ａは、固着具４の軸部がねじ合わされる雌ねじ孔でもよく、固着具４の軸部がねじ込まれる下孔でもよい。この差込片部１９の厚さ寸法は、強度上の観点や軽量化を図る観点等から適宜の寸法としてもよく、例えば、０．５ｍｍ〜３ｍｍ程度としてもよい。
【００３０】
また、本実施形態では、差込片部１９の差込方向基端部に、上方側（天井下地２側）に向けて立ち上がる立上片部１９ｃ，１９ｄを設けた構成としている。図例では、基端側片部１８の一側部に当接される立上片部１９ｃ，１９ｃを第１方向両側に離間させて設け、これらの間に、反差込方向に延びる延出部から立ち上がる立上片部１９ｄを設けた例を示している。このような構成とすれば、この立上片部１９ｄを把持して差込片部１９をパネル本体１０の層内に切込部１４を介して容易に差し込むことができる。
また、両側の立上片部１９ｃ，１９ｃは、この立上片部１９ｃ，１９ｃから止着孔１９ａの孔心までの差込方向に沿う寸法が基端側片部１８の同方向一側部から挿通孔１８ａの孔心までの同方向に沿う寸法と略同寸法とされている。このような構成とすれば、この立上片部１９ｃ，１９ｃに基端側片部１８の一側部を当接させて差込片部１９上に基端側片部１８を重ね合わせれば、止着孔１９ａと挿通孔１８ａとを第２方向において孔心同士を一致させることができ、位置合わせを容易に行うことができる。
【００３１】
これら立上片部１９ｃ，１９ｃ，１９ｄは、差込片部１９の差込方向基端部に一連状に設けられている。また、これら立上片部１９ｃ，１９ｃ，１９ｄのパネル厚さ方向に沿う立上寸法は、天井パネル１の第２方向途中部位に設備機器等の取付や補強のため等に設けられる場合がある下地に干渉しないように適宜の寸法としてもよい。図例では、これら立上片部１９ｃ，１９ｃ，１９ｄの立上方向先端部を、磁石９における天井下地２に当接される当接面９ａと略同高さとした例を示している。
また、この差込片部１９の立上片部１９ｃからの差込方向（第２方向）に沿う寸法は、差込方向先端部１９ｂがパネル本体１０の裏面１０ａ側において露出するように、基端側片部１８の第２方向に沿う寸法よりも大とされている。また、パネル本体１０に形成される２本の切込部１４，１４間の第２方向に沿う寸法は、差込片部１９の第２方向に沿う寸法よりも小とされている。また、これら２本の切込部１４，１４の第１方向に沿う寸法は、差込片部１９の第１方向に沿う寸法よりも大とされている。これら２本の切込部１４，１４の第１方向に沿う寸法は、差込片部１９の第１方向に沿う寸法よりも僅かに大とされたものでもよい。
なお、この差込片部１９は、適宜、プレスや折曲加工等によって一連状に形成されたものでもよい。また、この差込片部１９及び基端側片部１８を含む引掛部１６は、適宜の金属系材料から形成されたものでもよい。
【００３２】
上記構成とされた連結部材１５は、以下のようにしてパネル本体１０の第２端部７に固定するようにしてもよい。
まず、パネル本体１０の第２端部７に形成された２本の切込部１４，１４のうちの一方の切込部１４を介して差込片部１９をパネル本体１０の層内に差し込む。これら２本の切込部１４，１４は、少なくとも補強層１３を貫通させるように適宜のカッター等によって形成されたものでもよい。また、差込片部１９の差込方向先端部１９ｂを他方の切込部１４を介してパネル本体１０の裏面１０ａ側に露出させ、差込片部１９をパネル本体１０の第２端部７に取り付ける。この際、パネル本体１０の基材１１を圧縮変形させるようにして差込片部１９を取り付けるようにしてもよい（図４（ｂ）参照）。この状態では、差込片部１９の上方側に２本の切込部１４，１４間の補強層１３を含む被挟持層１３ａが配された状態となる。なお、この被挟持層１３ａには基材１１の一部が含まれていてもよい。
【００３３】
そして、差込片部１９の止着孔１９ａに挿通孔１８ａを一致させるようにして基端側片部１８を被挟持層１３ａ上に重ね合わせ、また、引掛部１６の第１方向外側への突出寸法が所定の寸法となるように、差込片部１９及び基端側片部１８の位置を調整する。次いで、基端側片部１８の挿通孔１８ａを介して固着具４を差込片部１９の止着孔１９ａに止着する。これにより、固着具４の軸部が基端側片部１８と差込片部１９との間に挟まれた被挟持層１３ａを貫通し、差込片部１９及び基端側片部１８が第２端部７に固定される。なお、図例では、固着具４の軸部を基材１１の厚さ方向中央部を超えるように設けた例を示しているが、このような態様に限られない。また、差込片部１９としては、上記のような態様に限られず、上記のような立上片部１９ｃ，１９ｃ，１９ｄ及び裏面１０ａにおいて露出される差込方向先端部１９ｂのうちの一方または両方を設けていない構成としてもよい。また、基端側片部１８としては、上記のような態様に限られず、上記のような延出部１８ｂを設けていない構成としてもよい。
【００３４】
また、図１（ａ）に示すように、本実施形態では、第２端部７に第２方向に間隔を空けて複数（図例では、３つ）の連結部材１５，１５，１５を設けた構成としている。これら連結部材１５，１５，１５は、互いに同様の構成とされている。また、これら複数の連結部材１５，１５，１５を、互いに略等間隔を空けて設けた構成としている。また、第２方向両側の各被保持端部８，８の端面から第２方向最外側の連結部材１５，１５までの第２方向に沿う寸法を、互いに隣接する連結部材１５，１５間の寸法と概ね同寸法とした例を示している。なお、これら連結部材１５，１５，１５は、壁際に配される天井パネル１の壁際の第２端部７には設けていない構成としてもよい。
【００３５】
また、連結部材１５としては、上記したような態様に代えて、図４（ｃ）に示すような変形例に係る天井パネル１Ａが備える連結部材１５Ａとしてもよい。なお、以下の変形例では、上記した例との相違点について主に説明し、同様の構成については、同一符号を付し、その説明を省略または簡略に説明する。また、上記した例と同様に奏する作用効果や取付手順についても説明を省略または簡略に説明する。
本変形例に係る連結部材１５Ａは、差込片部１９Ａを、基端側片部１８Ａの第２方向一側部から屈曲させて当該連結部材１５Ａに一体的に設けた構成とされている。このような構成とすれば、上記した例のように、差込片部１９を連結部材１５（基端側片部１８）と別体的に設けたものと比べて、取扱性を向上させることができる。また、差込片部１９Ａ及び基端側片部１８Ａに、上記のような止着孔１９ａや挿通孔１８ａを設けた場合には、これらの位置合わせが不要となり、取付性を向上させることができる。
【００３６】
つまり、基端側片部１８Ａの第２方向一側部に、差込片部１９Ａが一連状に設けられている。これら基端側片部１８Ａと差込片部１９Ａとの厚さ方向に沿う隙間は、被挟持層１３ａの受け入れが可能なように適宜の寸法とされている。なお、基端側片部１８Ａの第２方向他側部に、被挟持層１３ａの受入を容易とする適宜の傾斜ガイド面等を設けた構成としてもよい。
また、以下では、上記した連結部材１５を備えた天井パネル１の第１端部６側及び施工手順について説明するが、変形例に係る連結部材１５Ａを備えた天井パネル１Ａの第１端部６側及び施工手順についても同様である。
また、後記する補強部材２０のように、連結部材１５，１５Ａを、第２端部７の第１方向の概ね全体に亘って設けたような構成としてもよい。つまりは、引掛部１６を、第２端部７の第１方向の概ね全体に亘って設けられた補強部材に設けた構成としてもよい。パネル本体１０の第２端部７に設けられる連結部材１５，１５Ａや引掛部１６としては、その他、種々の変形が可能である。
【００３７】
パネル本体１０の第１端部６の裏面１０ａ側には、図２（ｂ）に示すように、第１端部６から第１方向外側に向けて突出し、天井下地２に固定される固定片部２３が設けられている。このような構成とすれば、第１端部６から第１方向外側に向けて突出した固定片部２３を介して室内側（下方側）から天井下地２に向けて固着具３を止着して天井パネル１を天井下地２に固定することができる（図５（ｂ）参照）。また、このように固定片部２３を介して天井下地２に固定された天井パネル１の第１端部６の被引掛部２５に対して第１方向に隣接される天井パネル１の第２端部７の引掛部１６を引っ掛けることができる。また、固定片部２３を、パネル本体１０の裏面１０ａ側から第１方向外側に突出させた構成としているので、第１方向に隣接される天井パネル１が連結された状態では、この天井パネル１によって表面側から目立ち難くすることができる。
また、本実施形態では、この固定片部２３における天井下地２に当接される当接面２３ａと磁石９における天井下地２に当接される当接面９ａとを同一平面状としている。このような構成とすれば、磁石９を埋込状に設けたりする必要性を低減しながらも、これらの当接面９ａ，２３ａを天井下地２に安定的に当接させることができる。なお、固定片部２３の当接面２３ａと磁石９の当接面９ａとが同一平面状とは、完全に同一平面状とされたものに限られず、パネル厚さ方向で例えば２ｍｍ程度のずれがあるようなものも含む。
【００３８】
また、固定片部２３は、当該固定片部２３の下方側に配される第１方向に隣接される天井パネル１の裏面１０ａとの間に当該固定片部２３を天井下地２に固定する固着具３の頭部３ａの軸方向に沿う寸法以上の隙間が形成されるように設けられている。このような構成とすれば、第１方向に隣接される天井パネル１の裏面１０ａと固定片部２３を天井下地２に固定する固着具３の頭部３ａとの干渉を抑制することができ、第１方向に隣り合う天井パネル１，１同士の表面における段差を生じ難くすることができる。
また、本実施形態では、この固定片部２３及び被引掛部２５を、図１に示すように、パネル本体１０の第１端部６の裏面１０ａに沿うように第２方向の概ね全体に亘って固定された補強部材２０に設けた構成としている。このような構成とすれば、上記同様、この補強部材２０を表面側から目立ち難くすることができ、また、この補強部材２０によって天井パネル１の第１端部６の強度を向上させることができ、垂れ等を抑制することができる。また、固定片部２３を天井下地２に安定的に固定することができ、また、このように固定された補強部材２０の被引掛部２５に引っ掛けられる第１方向に隣接される天井パネル１の第２端部７の保持強度を向上させることができる。このような構成により、従来のように、第２方向に比較的に小さいピッチで天井下地を設ける必要性を低減することが可能で、かつ表面側においてジョイナー等が露出しない構成でありながらも、当該天井パネル１の第２方向中央部位の垂れを抑制することができる。つまり、天井下地２を含む天井システム全体の軽量化を図りながらも、天井パネル１の保持強度を向上させることができ、また垂れを抑制することができ表面側の見栄えを向上させることができる。
【００３９】
補強部材２０は、パネル本体１０の第２方向に長尺状とされ、第１端部６の裏面１０ａに沿わせられるベース部２１と、このベース部２１に設けられ、当該補強部材２０をパネル本体１０に取り付ける取付部２２と、を備えている。
ベース部２１は、パネル本体１０の第２方向の概ね全体に亘って設けられ、パネル本体１０の厚さ方向に厚さ方向を沿わせた板状とされている。本実施形態では、このベース部２１をパネル本体１０の第２方向の全体に亘って設けた構成としている。なお、パネル本体１０の第２方向の概ね全体に亘って設けられる補強部材２０としては、パネル本体１０の第２方向に沿う寸法の７／１０以上の長さとされたものでもよい。
また、このベース部２１の第１方向に沿う幅寸法や厚さ寸法は、強度上の観点や軽量化を図る観点等から適宜の寸法としてもよい。図例では、このベース部２１に、第２方向に間隔を空けて第２方向に長径状の複数の長孔を設けた例を示している。また、ベース部２１における長孔が設けられた部位よりも第１方向外側において第１端部６の端面から突出する部位は、第１方向に隣接する天井パネル１，１間に形成される隙間の底側を区画するように配される構成とされている。
【００４０】
また、本実施形態では、このベース部２１に、図３（ｂ）に示すように、パネル本体１０の一方の被保持端部８の端面に当接される第１当接片部２１ａと、第１端部６の端面に当接される第２当接片部２１ｂと、を設けた構成としている。このような構成とすれば、パネル本体１０に対する補強部材２０の取付位置の位置合わせを容易に行うことができる。
これら第１当接片部２１ａ及び第２当接片部２１ｂは、ベース部２１の長手方向第１端部から下方側に向けて突出するように設けられている。また、図例では、これら第１当接片部２１ａと第２当接片部２１ｂとを、一方の被保持端部８の端面と第１端部６の端面との出隅部に沿わせるように一連状にかつ互いに直交状に設けた例を示している。なお、このような第１当接片部２１ａ及び第２当接片部２１ｂのうちの一方または両方を、ベース部２１の長手方向第２端部にも設けた構成としてもよい。
【００４１】
また、本実施形態では、このベース部２１の長手方向第１端部に、第２方向に隣接される天井パネル１のパネル本体１０の被保持端部８の端面に当接される第３当接片部２１ｃを設けた構成としている。この第３当接片部２１ｃは、第２方向に隣接される天井パネル１，１の第２方向に対向される端面間に上記同様な目透かし状の隙間が形成されるようにパネル本体１０の被保持端部８の端面から突出するように設けられている。このような構成とすれば、各天井パネル１，１間の隙間を容易に均等にすることができる。図例では、この第３当接片部２１ｃを、第１当接片部２１ａから第２方向外側に向けて突出する突出片部を介して第１当接片部２１ａに一連状に設けた例を示している。第２方向に隣接する天井パネル１，１間に形成される隙間の底側には、天井下地２の下面が配され、該隙間の底側を区画する構成とされている。
【００４２】
取付部２２は、ベース部２１の第１方向内側側部から第１方向内側に向けて延出するように一連状に設けられ、ベース部２１と同厚さの片部状とされている。本実施形態では、ベース部２１の長手方向に間隔を空けて複数（図例では、３つ）の取付部２２，２２，２２を設けた構成としている。また、パネル本体１０の第２方向両側の被保持端部８，８のそれぞれの近傍に位置するように取付部２２，２２を設けた構成としている。また、これら第２方向両側の取付部２２，２２間に、互いに略等間隔を空けて他の取付部２２を設けた構成としている。
また、図３（ｂ）、（ｃ）に示すように、これら取付部２２，２２，２２に、これらをパネル本体１０に固定する固着具５（図３（ａ）参照）の軸部が挿通される挿通孔２２ａを設けた構成としている。また、図３（ａ）に示すように、これら取付部２２，２２，２２のパネル本体１０内層側に上記同様な差込片部３０を設けた構成としている。この差込片部３０には、図示は省略しているが上記同様な止着孔が設けられている。また、この差込片部３０には、上記同様、差込方向先端部３０ａ及び立上片部３０ｂ，３０ｂ，３０ｃが設けられている。なお、当該補強部材２０をパネル本体１０に対して固定する態様としては、このような構成に限られず、その他、種々の変形が可能である。
【００４３】
固定片部２３は、図１に示すように、パネル本体１０の第２方向の概ね全体に亘って設けられ、パネル本体１０の厚さ方向に厚さ方向を沿わせた板状とされている。この固定片部２３は、ベース部２１の第１方向外側端部から上方側に向けて立ち上がるように設けられた立上片部を介してベース部２１に一連状に設けられている。この立上片部の立上寸法は、固定片部２３の上方側に向く当接面２３ａが上記のように磁石９の当接面９ａと同一平面状となるように適宜の寸法とされている。また、この立上片部の立上寸法は、固定片部２３の下方側に向く面からパネル本体１０の裏面１０ａまでのパネル厚さ方向に沿う寸法が固着具３の頭部３ａの軸方向に沿う寸法以上となるように適宜の寸法とされている。
【００４４】
この固定片部２３の第１方向に沿う幅寸法や厚さ寸法は、強度上の観点や軽量化を図る観点等から適宜の寸法としてもよい。図例では、この固定片部２３に、ベース部２１と概ね同様、第２方向に間隔を空けて第２方向に長径状の複数の長孔を設けた例を示している。
また、図３（ｂ）、（ｃ）に示すように、この固定片部２３の長手方向両端部に、天井下地２，２に止着される固着具３の軸部が挿通される挿通孔２３ｂ，２３ｂを設けた構成としている。また、これら挿通孔２３ｂ，２３ｂを、第２方向に長径状の長孔としている。
また、本実施形態では、この固定片部２３の長手方向第２端部に、図３（ｃ）に示すように、この固定片部２３の長手方向第２端部の第２方向に対向される天井パネル１の被保持端部８の端面に当接される当接片部２３ｃを設けた構成としている。このような構成とすれば、各天井パネル１，１間の隙間を容易に均等にすることができる。図例では、固定片部２３の長手方向第２端部を第２方向外側に向けて突出させ、この突出部の第１方向両側部から下方側に向けて垂れ下がるように対状に当接片部２３ｃ，２３ｃを設けた構成としている。
【００４５】
被引掛部２５は、図１（ｂ）及び図６（ｂ）に示すように、固定片部２３の第１方向外側に設けられている。
本実施形態では、被引掛部２５は、第１方向に厚さ方向を沿わせた板状とされ、上記した引掛部１６の折返片１７ａが引っ掛けられる被引掛片２６を備えている。また、被引掛部２５は、この被引掛片２６よりも第１方向外側に位置するように、かつ被引掛片２６と平行状に設けられ、折返片１７ａが挿通される挿通孔２９が設けられた抜止片部２８を備えている。このような構成とすれば、折返片１７ａは、被引掛片２６に引っ掛け保持された状態で、抜止片部２８の挿通孔２９に挿通された状態とされる。これにより、上記のように既施工の天井パネル１の被引掛部２５に折返片１７ａを保持させた未施工の天井パネル１に対して、下方側から衝撃が加えられたような場合にも、引掛保持状態が解除され難くなり、未施工の天井パネル１の意図しない脱落を抑制することができる。
【００４６】
被引掛片２６は、固定片部２３の第１方向外側端部から上方側に向けて突出するように設けられている。この被引掛片２６の第１方向外側に向く面が引掛部１６の当接面１６ａに当接される被当接面２６ａを構成する。
この被引掛片２６の第２方向に沿う寸法は、引掛部１６の第２方向に沿う寸法よりも大とされている。また、この被引掛片２６の突出寸法は、引掛部１６の折返片１７ａの引っ掛け保持が可能なように適宜の寸法とされている。また、本実施形態では、この被引掛片２６は、図３（ａ）に示すように、固定片部２３から切起状に設けられている。また、この被引掛片２６は、引掛部１６に応じた位置となるように、パネル本体１０の第１端部６に沿って第２方向に間隔を空けて複数箇所（図例では、３箇所）に設けられている。
【００４７】
また、本実施形態では、図６（ｂ）に示すように、固定片部２３に、折返片１７ａのガイドとなるガイド傾斜片部２４を設けた構成としている。このガイド傾斜片部２４は、これが設けられた天井パネル１に対して被引掛片２６に保持された天井パネル１が第１方向近接側に移動される際に、同方向に移動する折返片１７ａのガイドとして機能する。このガイド傾斜片部２４は、固定片部２３の第１方向途中部位から被引掛片２６とは逆側となる下方側に向けて切起状に設けられている。また、このガイド傾斜片部２４は、第１方向外側に向かうに従い下り勾配状に傾斜状とされている。このような構成とすれば、被引掛片２６を切起状に設けた構成としながらも、これにより形成される固定片部２３の孔縁に折返片１７ａが引っ掛かり難くなり、折返片１７ａをガイド傾斜片部２４に沿って円滑に第１方向内側に向けてガイドすることができる。このガイド傾斜片部２４は、被引掛片２６に対応した位置となるように設けられている。つまり、ガイド傾斜片部２４は、パネル本体１０の第１端部６に沿って第２方向に間隔を空けて複数箇所（図例では、３箇所）に設けられている。
【００４８】
抜止片部２８は、固定片部２３の第１方向外側端部から下方側に向けて垂れ下がるように設けられた垂下片部の下端部から第１方向外側に向けて延出する延出片部２７の先端部から上方側に向けて立ち上がるように設けられている。これら垂下片部、延出片部２７及び抜止片部２８は、パネル本体１０の第２方向の概ね全体に亘って設けられている。このような構成とすれば、補強部材２０の薄型化及び軽量化を図りながらも剛性を向上させることができる。図例では、これら垂下片部、延出片部２７及び抜止片部２８を、パネル本体１０の第２方向の全体に亘って設けられた固定片部２３の長手方向両端部には設けていない構成とした例を示している（図１（ａ）参照）。
延出片部２７は、パネル本体１０の厚さ方向に厚さ方向を沿わせた板状とされている。この延出片部２７の第１方向に沿う幅寸法は、後記する挿通孔２９を介して折返片１７ａが挿通し易いように、また、軽量化を図る観点等から適宜の寸法としてもよい。また、この延出片部２７は、第１方向に隣接される天井パネル１のパネル本体１０に略干渉しないように設けられている。図例では、この延出片部２７の下方側に向く面がパネル本体１０の裏面１０ａと略同一平面状となるように設けた例を示している。つまり、この延出片部２７の下方側に向く面は、ベース部２１のパネル本体１０側に向く面と略同一平面状とされている。
【００４９】
抜止片部２８は、上端が被引掛片２６の上端よりも上方側に位置するように、固定片部２３からの上下方向に沿う寸法が被引掛片２６の突出寸法よりも大とされている。また、図例では、この抜止片部２８に、ベース部２１や固定片部２３と概ね同様、第２方向に間隔を空けて第２方向に長径状の複数の長孔を設けた例を示している（図３（ａ）参照）。このような構成とすれば、上記のような天井パネル１の第２方向途中部位に設備機器等の取付や補強のため等に下地が設けられる場合には、この下地と干渉する抜止片部２８の部位を容易に切除することができる。
挿通孔２９は、図３（ａ）及び図５（ｂ）に示すように、抜止片部２８と延出片部２７とに亘って設けられている。つまり、延出片部２７の第１方向外側部位と抜止片部２８の下方側部位とを貫通させるように一連状に挿通孔２９を設けた構成としている。この挿通孔２９は、被引掛片２６に対応した位置となるように、パネル本体１０の第１端部６に沿って第２方向に間隔を空けて複数箇所（図例では、３箇所）に設けられている。
【００５０】
この挿通孔２９の第２方向に沿う寸法は、引掛部１６の延出部１７及び折返片１７ａの第２方向に沿う寸法よりも大とされている。
また、この挿通孔２９の上下方向に沿う寸法は、第１方向に隣接される天井パネル１の引掛部１６に干渉し難いように適宜の寸法としてもよい。図例では、挿通孔２９の下方側に向く上端開口縁部が引掛部１６の上面よりも上方側に位置するように挿通孔２９を設けた例を示している。
また、この挿通孔２９の第１方向に沿う寸法は、折返片１７ａの挿通性の観点等から適宜の寸法としてもよい。図例では、延出片部２７の第１方向の大半に亘って挿通孔２９を設けた例を示している。なお、このような抜止片部２８や挿通孔２９を設けていない構成としてもよい。
上記構成とされた補強部材２０は、適宜の金属系材料からプレスや折曲加工等によって一連状に形成されたものでもよい。また、補強部材２０は、壁際に配される天井パネル１の壁際の第１端部６には設けていない構成としてもよい。
【００５１】
次に、上記構成とされた天井パネル１の施工手順の一例について説明する。
図５（ａ）、（ｂ）に示すように、既施工の天井パネル１は、第２方向両側の被保持端部８，８が第２方向に間隔を空けて設けられた天井下地２，２に保持され、第１端部６が固定片部２３を介して固着具３によって天井下地２，２に固定されている。なお、この既施工の天井パネル１の第２端部７は、適宜の壁際下地に固定するようにしてもよく、種々の固定態様で固定対象に対して固定するようにしてもよい。
【００５２】
上記のように施工された天井パネル１の第１端部６に対して、第２端部７を上方側として略垂直状または斜め状に保持した未施工の天井パネル１を下方側から移動させる。そして、図６（ａ）、（ｂ）に示すように、既施工の天井パネル１の挿通孔２９に未施工の天井パネル１の引掛部１６を挿通し、その折返片１７ａを既施工の天井パネル１の被引掛片２６に引っ掛ける。このような構成とすれば、天井高にもよるが、脚立等を用いて高所での作業を要することなく床上に起立した状態で未施工の天井パネル１の第２端部７を既施工の天井パネル１の第１端部６に保持させることも可能となる。
そして、図６（ｂ）の二点鎖線にて示すように、未施工の天井パネル１を、その第１端部６側を上昇させるように折返片１７ａを支点として概ね水平状となるまで回転させる。次いで、この未施工の天井パネル１を、既施工の天井パネル１に対して第１方向近接側に押すように移動させ、未施工の天井パネル１の当接面１６ａを既施工の天井パネル１の被当接面２６ａに当接させる（図２（ｂ）参照）。
【００５３】
また、第２方向に既施工の天井パネル１が配されている場合には、未施工の天井パネル１の第２端部７側の被保持端部８の端面を、これに対向される既施工の天井パネル１の当接片部２３ｃに当接させる。また、未施工の天井パネル１の第１端部６の第３当接片部２１ｃを、これに対向される既施工の天井パネル１の被保持端部８の端面に当接させる。
また、未施工の天井パネル１の第２方向両側の被保持端部８，８の磁石９，９を、天井下地２，２に吸着させる。なお、被保持端部８，８の磁石９，９を天井下地２，２に吸着させた状態で、この未施工の天井パネル１の第１方向及び第２方向への位置合わせを行うようにしてもよい。
そして、この未施工の天井パネル１の第１端部６の固定片部２３を、固着具３によって天井下地２，２に固定する。以下、同様にして、複数枚の天井パネル１を縦横に隣接させるようにして順次、施工するようにしてもよい。なお、上記した施工手順は一例に過ぎず、種々の変形が可能である。
【００５４】
次に、第２実施形態に係る天井パネルの一例及び同天井パネルの施工手順の一例について、図７〜図１１を参照しながら説明する。
なお、以下の実施形態では、上記した例との相違点について主に説明し、同様の構成については、同一符号を付し、その説明を省略または簡略に説明する。また、上記した例と同様の作用効果等についても説明を省略または簡略に説明する。
【００５５】
本実施形態に係る天井パネル１Ｂは、磁石９Ａ、連結部材１５Ｂ及び補強部材２０Ａの構成が上記第１実施形態とは主に異なる。
磁石９Ａは、本実施形態では、図７（ａ）に示すように、当該磁石９Ａを収容するように保持する磁石保持部材３４を介してパネル本体１０の裏面１０ａ側に設けられている。このような構成とすれば、磁石９Ａが比較的に割れ易いような場合にも磁石保持部材３４が天井下地２に当接されるので、天井下地２に当接させる際の衝撃等に起因する磁石９Ａの損傷等を抑制することができる。この磁石保持部材３４に収容される磁石９Ａは、比較的に磁力の大きいネオジム磁石であってもよい。図例では、この磁石９Ａを、パネル本体１０の厚さ方向に厚さ方向を沿わせた円板状とした例を示している（図８（ｃ）参照）。
また、図７（ｂ）に示すように、この磁石保持部材３４における天井下地２に当接される当接面３４ａは、後記する補強部材２０Ａの固定片部２３Ａにおける天井下地２に当接される当接面２３ａと同一平面状とされている。なお、これら磁石保持部材３４の当接面３４ａと固定片部２３Ａの当接面２３ａとが同一平面状とは、上記同様、完全に同一平面状とされたものに限られず、パネル厚さ方向で例えば２ｍｍ程度のずれがあるようなものも含む。
【００５６】
また、この磁石保持部材３４には、図８（ａ）〜（ｃ）に示すように、パネル本体１０の厚さ方向に沿って貫通し、天井下地２側に向く面において接着剤注入口３７ａを開口させた接着剤充填部３６が設けられている。このような構成とすれば、磁石保持部材３４を、パネル本体１０の裏面１０ａに沿わせて配置した状態で、接着剤注入口３７ａを介して接着剤充填部３６に注入した接着剤によって固定することができる。
また、この磁石保持部材３４には、接着剤充填部３６に連通するように側周面において溢出口３８ａを開口させた溢出通路３８が設けられている。このような構成とすれば、天井下地２側に向く面側の接着剤注入口３７ａから接着剤を注入して接着剤充填部３６に充填する際に、接着剤を溢出口３８ａから溢出させることができる。これにより、接着剤充填部３６における接着剤の充填不良を抑制することができる。
【００５７】
磁石保持部材３４は、合成樹脂系材料から形成された樹脂成形品とされ、磁石９Ａが直接的に天井下地２に当接しないように磁石９Ａを保持する構成とされている。この磁石保持部材３４には、磁石９Ａを収容する収容凹所３５が設けられている。この収容凹所３５は、パネル本体１０側に向く面側から磁石９Ａを受け入れ可能な構成とされている。また、この収容凹所３５は、当該磁石保持部材３４を、パネル本体１０の厚さ方向に沿って貫通するように設けられ、接着剤充填部３６に連通するように設けられている。また、図例では、収容凹所３５を、平面視して磁石保持部材３４の略中央部に設けた例を示している。
この収容凹所３５は、磁石９Ａの側周面に当接または近接対向される内周壁面によって区画されている。
【００５８】
また、この収容凹所３５の天井下地２側を区画するように、下地側片部３５ａが設けられている。下地側片部３５ａは、磁石９Ａの天井下地２側への移動を抑止するように設けられている。図例では、収容凹所３５の天井下地２側の開口周縁部から収容凹所３５の軸心側に向けて突出させるように下地側片部３５ａを設けた例を示している。また、周方向に間隔を空けて複数（図例では、３つ）の下地側片部３５ａを設けた例を示している。
また、この収容凹所３５のパネル本体１０側を区画するように、パネル側片部３５ｂが設けられている。パネル側片部３５ｂは、磁石９Ａのパネル本体１０側への移動を抑止するように設けられている。このパネル側片部３５ｂは、先端側が収容凹所３５を拡径させる方向に弾性変形可能とされた係止片部の先端部に爪状に設けられている。このパネル側片部３５ｂのパネル本体１０側に向く面は、磁石９Ａの収容凹所３５への挿入が可能なように傾斜状のガイド面とされている。また、図例では、周方向に間隔を空けて複数（図例では、３つ）の係止片部を設けた例を示している。
【００５９】
接着剤充填部３６は、収容凹所３５の内周壁面を構成する周壁部及び係止片部の周囲を囲むように設けられ、パネル本体１０側に向けて開口するように設けられている。この接着剤充填部３６のパネル本体１０側開口を区画するように、磁石保持部材３４の周壁部が設けられている。接着剤注入口３７ａを介して接着剤充填部３６に注入された接着剤は、磁石９Ａのパネル本体１０側にも充填され、磁石保持部材３４に対する磁石９Ａの移動が抑制されるものでもよい。
接着剤注入口３７ａは、収容凹所３５（磁石９Ａ）に隣接した位置において開口している。本実施形態では、収容凹所３５の第１方向両側のそれぞれにおいて開口するように接着剤注入口３７ａ，３７ａを設けた構成としている。これら接着剤注入口３７ａ，３７ａは、接着剤充填部３６の天井下地２側を区画する磁石保持部材３４の下地側壁部を貫通するように設けられた接着剤注入路３７，３７の天井下地２側の開口とされている。これら接着剤注入路３７，３７は、収容凹所３５の第１方向両側に位置するように設けられている。
【００６０】
溢出通路３８は、磁石保持部材３４の周壁部を貫通するように設けられている。本実施形態では、この溢出通路３８を、パネル本体１０側において開口させた溝状としている。また、上記のように収容凹所３５の第１方向両側に設けられたそれぞれの接着剤注入路３７，３７側から周壁部に向けて延びるように２本の溢出通路３８，３８を設けた構成としている。
これら溢出通路３８、接着剤注入路３７，３７及び接着剤充填部３６は、接着剤注入口３７ａ，３７ａを介して注入される接着剤が接着剤充填部３６の広範に行き渡るように適宜の形状とされていてもよい。
【００６１】
また、図例では、上記と概ね同様、被保持端部８に、第１方向に間隔を空けて５つの磁石９Ａ及びこれを保持する磁石保持部材３４を設けた例を示しているが、このような態様に限られない。また、図例では、上記と概ね同様、一方の被保持端部８の磁石９Ａ（磁石保持部材３４）と他方の被保持端部８の磁石９Ａ（磁石保持部材３４）とを、第１方向で互いに同じ位置となるように設けた例を示しているが、このような態様に限られない。例えば、複数枚の天井パネル１Ｂが積層される際に、天井パネル１Ｂ同士の磁石９Ａが反発しない位置となるように、一方の被保持端部８の磁石９Ａと他方の被保持端部８の磁石９Ａとを、第１方向で互いにずれた位置となるように設けた態様としてもよい。また、磁石９Ａを保持する磁石保持部材３４としては、上記したような構成とされたものに限られず、その他、種々の構成とされたものでもよい。
【００６２】
補強部材２０Ａは、上記と概ね同様、第２方向に長尺状とされ、パネル本体１０の第１端部６の裏面１０ａに沿わせられるベース部２１Ａと、このベース部２１Ａに設けられ、当該補強部材２０Ａをパネル本体１０に取り付ける取付部２２Ａと、を備えている。図例では、ベース部２１Ａの長孔を、上記第１実施形態とは異なり、厚さ方向に見て扁平な略Ｔ字状とし、このＴ字の縦線部が互いに向き合う方向となるように、互い違い状に二列状に設けた例を示している（図８（ａ）及び図９（ａ）参照）。また、本実施形態では、この補強部材２０Ａに、第１当接片部２１ａや第２当接片部２１ｂ、第３当接片部２１ｃ、当接片部２３ｃを設けていない構成としている。
取付部２２Ａは、上記と概ね同様、ベース部２１Ａの長手方向に間隔を空けて複数箇所に設けられている。また、この取付部２２Ａは、図９に示すように、差込片部３２とによってパネル本体１０の被挟持層１３ａを挟み込むように保持する構成とされている。また、本実施形態では、差込片部３２とによって取付部２２Ａを挟むように保持する保持片部３３を設けた構成としている。この保持片部３３及び取付部２２Ａを貫通させた固着具５を差込片部３２に止着した構成としている。このような構成とすれば、上記と概ね同様、補強部材２０Ａを第１端部６に言わば機械的に固定することができる。また、これら差込片部３２と保持片部３３とを、一体的に固定部材３１に設けた構成としている。
【００６３】
差込片部３２は、上記と概ね同様、第１方向に延びる二本の切込部１４Ａ，１４Ａのうちの一方の切込部１４Ａからパネル本体１０の層内に差し込まれ、他方の切込部１４Ａを介して差込方向先端部３２ａが露出される構成とされている。この差込片部３２の差込方向先端部３２ａは、上記と概ね同様、厚さ方向に見て先細り状とされている。また、この差込片部３２には、固着具５の軸部が止着される止着孔３２ｂが設けられている。
保持片部３３は、パネル本体１０の厚さ方向に厚さ方向を沿わせた板状とされている。この保持片部３３は、差込片部３２の差込方向基端部に折曲等によって一連状に形成され、差込片部３２と平行状に差込方向（第２方向）に延びるように設けられている。図例では、この保持片部３３の第１方向に沿う寸法を差込片部３２の同方向に沿う寸法と略同寸法とし、保持片部３３の第２方向に沿う寸法を差込片部３２の同方向に沿う寸法よりも小とした例を示している。
【００６４】
この保持片部３３には、天井下地２側に向けて立ち上がる把持部３３ａが設けられている。図例では、保持片部３３の差込方向先端部に把持部３３ａを設けた構成としている。
また、保持片部３３には、差込片部３２の止着孔３２ｂに厚さ方向に見て一致した位置となるように固着具５の軸部が挿通される挿通孔３３ｂが設けられている。この保持片部３３と差込片部３２とは、これらの間に取付部２２Ａ及び被挟持層１３ａの挿入が可能なように形成されている。なお、パネル本体１０の裏面１０ａ側に、差込片部３２の厚さに応じた凹部を設けた構成としてもよい。このような凹部は、プレス等によって形成されたものでもよい。また、補強部材２０Ａをパネル本体１０に対して固定する態様としては、上記のような構成に限られず、その他、種々の変形が可能である。
【００６５】
この補強部材２０Ａには、上記と概ね同様、天井下地２に固定される固定片部２３Ａが略全長に亘って設けられている。また、この固定片部２３Ａは、上記と概ね同様、ベース部２１Ａの第１方向外側端部から天井下地２側に向けて立ち上がる立上片部の上端部から第１方向外側に向けて延びるように設けられている。この固定片部２３Ａの長手方向（第２方向）両端部には、補強部材２０Ａを両側の天井下地２，２に固定する固着具３，３の軸部が挿通される挿通孔２３ｂ，２３ｂが設けられている（図８（ａ）参照）。また、これら挿通孔２３ｂ，２３ｂを、第２方向に長径状の長孔としている。また、図例では、上記と概ね同様、固定片部２３Ａに、第２方向に間隔を空けて第２方向に長径状の複数の長孔を設けた例を示している。
また、本実施形態では、この固定片部２３Ａの延出方向先端側に、垂下片部や延出片部２７、抜止片部２８を設けた態様に代えて、第２方向に見て略Ｖ字状に屈曲された屈曲部２４Ａを全長に亘って設けた構成としている。このような構成とすれば、補強部材２０Ａの剛性を向上させることができる。
【００６６】
被引掛部２５Ａは、上記と概ね同様、図１１に示すように、第１方向に隣接される天井パネル１Ｂの第２端部７を第１端部６よりも上方側に位置させた状態で、この隣接される天井パネル１Ｂの引掛部１６Ｂの引っ掛け保持が可能な構成とされている。
この被引掛部２５Ａは、本実施形態では、ベース部２１Ａの第１方向外側端部に設けられている。この被引掛部２５Ａには、上記と概ね同様、第１方向に厚さ方向を沿わせた板状とされ、ベース部２１Ａから天井下地２側に向けて立ち上がる被引掛片２６Ａが設けられている。本実施形態では、上記したベース部２１Ａと固定片部２３Ａとの間に設けられた立上片部のベース部２１Ａ側部位を、被引掛片２６Ａとした構成としている。また、立上片部の天井下地２側端部及び固定片部２３Ａの立上片部側部位に、引掛部１６Ｂが挿通される挿通孔を設けた構成としている。図例では、固定片部２３Ａに設けられた長孔のうちのいくつか（図例では、４つ）を、挿通孔とした例を示している。
【００６７】
連結部材１５Ｂの引掛部１６Ｂは、上記と概ね同様、図１０に示すように、パネル本体１０の第２端部７から第１方向外側に向けて延出する延出部１７の先端部に折返片１７ａを設けた構成とされている。本実施形態では、この連結部材１５Ｂに、差込片部１８Ｂを一体的に設けた構成としている。この差込片部１８Ｂは、第２方向に延びる切込部１４Ｂを介してパネル本体１０の層内に差し込まれる構成とされている。また、この差込片部１８Ｂは、第１方向に延びるように設けられ、その第１方向外側端部に、立上片部を介して引掛部１６Ｂを一連状に設けた構成とされている。本実施形態では、この連結部材１５Ｂの立上片部は、図１１（ｂ）に示すように、当該天井パネル１Ｂが施工された状態で、第１方向に隣接される天井パネル１Ｂの被引掛片２６Ａに当接されない構成とされている。
【００６８】
また、差込片部１８Ｂの差込方向先端部１８ｃは、上記と概ね同様、厚さ方向に見て、先細り状とされている。また、差込片部１８Ｂには、固着具４の軸部が止着される止着孔１８ａが設けられている。また、この差込片部１８Ｂは、第１方向に間隔を空けて設けられた切込部１４Ｂのうちの第１方向外側の切込部１４Ｂから差し込まれて差込方向先端部１８ｃが第１方向内側の切込部１４Ｂを介してパネル本体１０の裏面１０ａ側において露出される構成とされている。なお、パネル本体１０の裏面１０ａ側に、差込片部１８Ｂの厚さに応じた凹部を設けた構成としてもよい。
また、第２端部７には、裏面１０ａに沿うように配され、この差込片部１８Ｂとによってパネル本体１０の被挟持層１３ａを挟み込むように保持する固定片部１９Ｂが設けられている。この固定片部１８を貫通させた固着具４を差込片部１８Ｂに止着した構成としている。このような構成とすれば、上記同様、固定片部１９Ｂと差込片部１８Ｂとの間に被挟持層１３ａを挟み込んだ状態で、差込片部１８Ｂに止着した固着具４によって連結部材１５Ｂ（引掛部１６Ｂ）を第２端部７に言わば機械的に固定することができる。
【００６９】
固定片部１９Ｂには、固着具４の軸部が挿通される挿通孔１９ａが設けられている。また、この固定片部１９Ｂは、本実施形態では、差込片部１８Ｂとは別体的に設けられている。なお、このような構成に代えて、固定片部１９Ｂを、差込片部１８Ｂに一体的に設けた構成としてもよい。また、図例では、この固定片部１９Ｂを円板状とした例を示しているが、このような態様に限られない。また、引掛部１６Ｂをパネル本体１０に対して固定する態様としては、上記のような構成に限られず、その他、種々の変形が可能である。
また、本実施形態では、引掛部１６Ｂ（連結部材１５Ｂ）を、第２端部７に第２方向に間隔を空けて複数箇所（図例では、４箇所）に設けた構成としている。上記した補強部材２０Ａの被引掛部２５Ａの被引掛片２６Ａは、これら引掛部１６Ｂに応じた位置となるように設けられている。
【００７０】
上記構成とされた天井パネル１Ｂも上記同様、図１１に示すように、以下のようにして施工可能である。
つまり、図１１（ａ）に示すように、未施工の天井パネル１Ｂの第２端部７を上方側とし、その引掛部１６Ｂを、既施工の天井パネル１Ｂの第１端部６の被引掛部２５Ａに引っ掛ける。そして、図１１（ａ）の二点鎖線にて示すように、未施工の天井パネル１Ｂを、その第１端部６側を上昇させるように折返片１７ａを支点として概ね水平状となるまで回転させる（図１１（ｂ）参照）。また、本実施形態では、第１方向に隣接される天井パネル１Ｂ，１Ｂの端面同士の位置を位置決めする位置決め部を設けていないので、適宜のスペーサー等を介して目透かし状の隙間を設けた構成としてもよい。また、第２方向に隣接される天井パネル１Ｂ，１Ｂの端面同士の隙間についても適宜のスペーサー等によって形成するようにしてもよい。そして、この未施工の天井パネル１Ｂの第１端部６の固定片部２３Ａを、固着具３によって天井下地２，２に固定する。
なお、上記した各実施形態に係る天井パネル１，１Ａ，１Ｂにおける互いに異なる構成の一部を組み替えたり、組み合わせたりして適用するようにしてもよい。
【００７１】
また、上記各実施形態では、第１方向に隣接される天井パネル１，１，１Ｂ，１Ｂ間及び第２方向に隣接される天井パネル１，１，１Ｂ，１Ｂ間の両方に目透かし状の隙間が形成される構成とした例を示しているが、これらのうちの一方または両方に隙間が形成されない構成としてもよい。つまり、隣接される天井パネル１，１，１Ｂ，１Ｂの端面同士が当接される構成としてもよい。この場合は、上記第１実施形態において説明した当接面１６ａや被当接面２６ａ、当接片部２３ｃ、第３当接片部２１ｃ等の位置等を適宜、変形するようにしてもよく、さらにはこのような位置決め部を設けていない構成としてもよい。
また、上記各実施形態では、被引掛部２５，２５Ａ及び固定片部２３，２３Ａを、パネル本体１０の第１端部６の第２方向の概ね全体に亘って設けられた補強部材２０，２０Ａに設けた例を示しているが、これらのうちの一方または両方を補強部材２０，２０Ａに設けていない構成としてもよい。さらには、補強部材２０，２０Ａを設けていない構成としてもよい。この場合には、被引掛部２５，２５Ａ及び固定片部２３，２３Ａを、パネル本体１０の第１端部６に個別に設けた構成としてもよい。
【００７２】
また、上記各実施形態では、第２方向両側の被保持端部８，８が磁石９，９，９Ａ，９Ａによって天井下地２，２に保持される態様とした例を示しているが、磁石９，９，９Ａ，９Ａに加えて、または代えて、適宜の固着具によって天井下地２，２に固定される態様等としてもよい。この場合は、上記したような固定片部２３，２３Ａを設けていない構成としてもよい。
また、上記各実施形態では、被引掛部２５，２５Ａを、パネル本体１０の厚さ方向に突出する被引掛片２６，２６Ａを有した構成とした例を示しているが、このような構成に限られず、引掛部１６，１６Ｂが差し込まれる係止穴状のものとしてもよい。引掛部１６，１６Ｂが引っ掛けられる被引掛部２５，２５Ａとしては、その他、種々の変形が可能である。
また、上記各実施形態では、引掛部１６，１６Ｂに、折返片１７ａを設けた例を示しているが、このような折返片１７ａを設けていないＬ字状や差込片状の引掛部１６，１６Ｂとしてもよく、引掛部１６，１６Ｂとしては、その他、種々の変形が可能である。この場合は、被引掛部２５，２５Ａを適宜必要に応じて変形するようにしてもよい。また、パネル本体１０の第１方向の各端部６，７のそれぞれに設けられる連結部及び被連結部としては、上記したような引掛部１６，１６Ｂ及び被引掛部２５，２５Ａに限られず、水平方向に嵌合する実状のものでもよく、その他、種々の変形が可能である。上記各実施形態に係る天井パネル１，１Ａ，１Ｂの各部の構成は、上記したような態様に限られず、その他、種々の変形が可能である。
【符号の説明】
【００７３】
１，１Ａ，１Ｂ        天井パネル
７                    第２端部（第１方向の一方の端部）
１０                  パネル本体
１０ａ                裏面
１１                  基材
１３                  補強層
１４，１４Ｂ          切込部
１５，１５Ａ，１５Ｂ  連結部材
１６，１６Ｂ          引掛部（連結部）
１８，１８Ａ          基端側片部（固定片部）
１８ｂ                延出部
１９，１９Ａ，１８Ｂ  差込片部
１９ｂ，１８ｃ        差込方向先端部
１９Ｂ                固定片部
２５，２５Ａ          被引掛部（被連結部）
４                    固着具
【図１】
2020175000.tif 000003
【図２】
2020175000.tif 000004
【図３】
2020175000.tif 000005
【図４】
2020175000.tif 000006
【図５】
2020175000.tif 000007
【図６】
2020175000.tif 000008
【図７】
2020175000.tif 000009
【図８】
2020175000.tif 000010
【図９】
2020175000.tif 000011
【図１０】
2020175000.tif 000012
【図１１】
2020175000.tif 000013
【国際調査報告】
2020175000.tif 000014
2020175000.tif 000015
2020175000.tif 000016
2020175000.tif 000017